(57)【特許請求の範囲】
【請求項１】
人間または動物の身体に適用するための圧迫包帯であって、縦方向（Ｌ）および横方向（Ｑ）ならびに縦方向（Ｌ）で向かい合う２つの横エッジ（１１ａ，１１ｂ）および横方向（Ｑ）で向かい合う２つの縦エッジを有する平坦な帯状材料（１１）を含んでおり、前記帯状材料（１１）は経糸システム（２０）および緯糸システム（３０）を有する織物でできており、これらの糸システム（２０，３０）の少なくとも一方は弾性的な糸を含んでいる、そのような圧迫包帯において、前記経糸システムおよび／または緯糸システム（２０，３０）における糸密度が包帯（１０）の縦方向（Ｌ）で変化しており、それにより、隣接する領域とは異なる経糸密度および／または緯糸密度を有している前記包帯（１０）の少なくとも１つの領域（Ａ，Ｂ，Ｃ）が縦方向（Ｌ）に存在するようになっていることを特徴とする圧迫包帯。
【請求項２】
前記経糸システム（２０）は弾性的に構成されていることを特徴とする、請求項１に記載の圧迫包帯。
【請求項３】
前記弾性的な糸は木綿弾性糸であることを特徴とする、請求項１に記載の圧迫包帯。
【請求項４】
縦方向（Ｌ）で隣接する２つの前記領域（Ａ，Ｂ，Ｃ）の緯糸密度は同じであって経糸密度は異なっていることを特徴とする、請求項１〜３のうちいずれか１項に記載の圧迫包帯。
【請求項５】
縦方向（Ｌ）で隣接する２つの前記領域は、経糸密度は同じであって緯糸密度が異なっていることを特徴とする、請求項１〜３のいずれか１項に記載の圧迫包帯。
【請求項６】
縦方向（Ｌ）で隣接する２つの前記領域の緯糸密度および経糸密度は異なっていることを特徴とする、請求項１〜３のいずれか１項に記載の圧迫包帯。
【請求項７】
異なる糸密度の前記領域は横方向（Ｑ）に異なる長さを有していることを特徴とする、請求項１〜４、及び６のうちいずれか１項に記載の圧迫包帯。
【請求項８】
異なる糸密度の前記領域は横方向（Ｑ）に異なる長さを有していることを特徴とする、請求項１〜３、５、及び６のうちいずれか１項に記載の圧迫包帯。
【請求項９】
経糸密度の低い領域（１４）の経糸密度は経糸密度の高い領域の経糸密度に対して４：５の比率を有しており、１０ｃｍにつき１７０本から２２０本の糸を有していることを特徴とする、請求項１〜４、６及び７のうちいずれか１項に記載の圧迫包帯。
【請求項１０】
緯糸密度の低い領域の緯糸密度は緯糸密度の高い領域の緯糸密度に対して０．８：１．２の比率を有しており、１０ｃｍにつき１３０本から１８０本の糸を有していることを特徴とする、請求項１〜３、５、６及び８のうちいずれか１項に記載の圧迫包帯。
【請求項１１】
平坦な前記帯状材料の少なくとも１つの側はコーティングを有していることを特徴とする、請求項１〜１０のうちいずれか１項に記載の圧迫包帯。
【請求項１２】
前記コーティングは凝集性または粘着性である、請求項１１に記載の圧迫包帯。
【発明の詳細な説明】
【技術分野】
【０００１】
本発明は、人間または動物の身体に適用する(Zum Anlegen)ための圧迫包帯に関するものであり、縦方向および横方向ならびに縦方向で向かい合う２つの横エッジおよび横方向で向かい合う２つの縦エッジを有する平坦な帯状材料を含んでおり、帯状材料は経糸システムおよび緯糸システムを有する織物でできており、これらの糸システムの少なくとも一方は弾性的な糸を含んでいる。圧迫包帯は従来技術で多くのものが知られている。
【背景技術】
【０００２】
たとえば織られた、または編まれた弾性的な包帯が、粘着性の形態でも非粘着性の形態でも用いられており、特に、さまざまな状態の静脈の処置(verschiedener venoser Zustande)において利用されている。織られた、または編まれた従来の弾性的な包帯は、経糸システムと緯糸システムとを有しており、特に、経糸は弾性的に構成されている。その際に重要なのは、包帯の下で希望どおりの圧迫力を所定の期間にわたって維持するために、包帯が正しい張力で装着されることである。たとえば圧迫療法では、長さ全体にわたって所定の伸長能力を有し、たとえばかかと、くるぶし、下腿部、および場合によりひざや上腿部を介して、遠位から近位に向かって足に適用される包帯が利用される。このとき、巻き付けられた領域の幾何学形態がそれぞれ異なっていることや、適用時の挙動および圧迫作用に関わる相違などから問題が生じる。その際には、このような包帯が包帯全体にわたって最低圧迫圧力を保証することが必要である。
【０００３】
このような圧迫包帯の従来式の構成では、たとえばかかと領域に適用するときに困難が生じる場合があり、巻き付けられるべき領域のそれぞれ異なる幾何学形態を十分に考慮に入れることができない。そのため、点ごとまたは領域ごとに変更可能ないし調節可能でない、それぞれ異なる圧迫作用が生じてしまう。したがって従来、巻き付けられるべき幾何学形態の相違に対処するために、それぞれ異なる幅をもつ包帯が提供されている。それには個別包帯ばかりでなく、相並んで、ないしは相上下して巻き取られた、異なる幅の複数の包帯を含んでいる複合型パックもある。
【０００４】
これに加えてたとえば特許文献１より、織られた、または編まれた弾性的なバンデージ材料からなる、身体部位に適用するための圧迫バンデージがすでに知られており、その場合、バンデージの少なくとも１つのエッジに対して平行に延びるのではない、適用をするための案内線が意図されている。特にこのバンデージは、縦方向に配置された一方の端部から、縦方向でこれと間隔をおく他方の端部にかけて台形に構成されていてよく、幅の狭いほうの端部は、たとえばくるぶしの領域のように高い圧迫力が必要とされる個所に位置するように四肢に適用され、バンデージの幅の広いほうの領域は、たとえば低い圧迫力が意図されるべきふくらはぎ領域に適用される。
【先行技術文献】
【特許文献】
【０００５】
【特許文献１】国際公開第９８／４７４５２号パンフレット
【発明の概要】
【発明が解決しようとする課題】
【０００６】
本発明の課題は、四肢のさまざまに異なる寸法や幾何学形態、および四肢の種々の領域に印加されるべきさまざまに異なる圧迫力が適用のときに考慮される圧迫包帯を提供することにある。
【課題を解決するための手段】
【０００７】
本発明は、経糸システムおよび／または緯糸システムにおける各糸の密度がバンデージの縦方向で変化しており、それにより、隣接する領域とは異なる経糸密度および／または緯糸密度を有しているバンデージの少なくとも１つの領域が縦方向に存在するようになっている圧迫包帯によって、この課題を解決する。
【０００８】
本件の構成により、長さ全体にわたって同一の特性を有する、圧迫療法で通常用いられている包帯と比べて、巻き付けられる領域のそれぞれ異なる幾何学形態、適用挙動、および圧迫作用から生じる相違が臨機応変に考慮される。たとえば、縦方向で連続する少なくとも２つの領域で経糸ないし緯糸の相違する密度を設けることによって、さまざまに異なる足領域に合わせて適合化された特性を縦方向に有する包帯を製作することができる。このようにして、圧迫包帯の適用挙動と作用を改善することができる。
【０００９】
このとき経糸密度および／または緯糸密度の変化を通じて、包帯またはバンデージの単位面積あたり重量、ならびに伸長能力と圧迫力を調整することができ、その場合、包帯全体にわたって最低圧迫力が確保されるように保たれることが意図されていてよい。
【００１０】
特に、前述した３つのパラメータに関して、包帯の長さにわたって包帯の特性を可変に調整可能、かつ個別に適合化可能である。それにより、改善された適用挙動を実現することができ、巻き付けられるべき四肢の長さにわたって圧迫圧力を部分的に調整することができる。その際には、四肢の計測に基づいて、包帯をそれぞれの患者について個別に適合化することが考えられる。
【００１１】
このとき、経糸システムまたは緯糸システムにおける経糸および／または緯糸の本数を変えることで経糸密度または緯糸密度を変え、すなわち、バンデージ幅ないしバンデージ長の１センチメートルあたりの糸の本数を変えることが意図される。
【００１２】
さらに、経糸は弾性的に構成されているが、緯糸は非弾性的に構成されていることが意図されていてよい。別案として、経糸と緯糸が両方とも弾性的であってもよく、それにより、縦方向でも横方向でも曲げ弾性的な包帯が製作される。このとき、弾性的な糸は木綿弾性糸であるのが特別に好ましく、特に、木綿クレープ糸を利用することができる。
【００１３】
バンデージないし包帯の伸長性は、緯糸密度を通じて、ないしは緯糸ヤーンの太さを通じて、ある程度の範囲内で制御、計算することができる。
【００１４】
強撚された木綿ヤーンないし木綿より糸によって、希望どおりの伸長性と圧迫力を調整することが可能である。好ましくは木綿からなる強撚されたより糸またはヤーンは、水や界面活性剤での処理によって縮み、それにより弾性化されることによって、余剰のエネルギーを織物に放出する。
【００１５】
木綿弾性クレープ糸は、圧迫包帯の有効性に顕著な影響を及ぼす。特に木綿弾性クレープ糸は、その繊維構成と繊維構造に基づき、希望どおりの作業圧力で、静止圧力が低い完成品包帯をもたらす。
【００１６】
これに加えて、永久弾性的または永続弾性的な材料も、その他の種類のヤーンおよび／またはファイバとの組み合わせで採用することができる。たとえば、一例としてＰａｕｌ  Ｈａｒｔｍａｎｎ  ＡＧ社（ハイデンハイム、ドイツ）の包帯”Ｌａｓｔｏｄｕｒ  ｓｔｒａｆｆ”のように、従来技術ですでに永続弾性的な高伸縮性包帯や永久弾性的な包帯で利用されている、繊維化された熱可塑性の材料を利用することができる。
【００１７】
ここで経糸とは、包帯の縦方向に延びる糸のことを意味しており、緯糸とは、これに対して横方向に延びる糸である。
【００１８】
ここでは「包帯」および「バンデージ」という用語は、定義上、同義語として用いることとする。
【００１９】
このとき、縦方向に隣接する２つの領域の経糸密度は、同じ緯糸密度で、それぞれ異なっていると特別に好ましい。別案として、これと逆の実施形態が意図されていてもよく、すなわち、縦方向で隣接する２つの領域の緯糸密度は、同じ経糸密度で、それぞれ異なっている。緯糸密度を追加的に変えることで、圧迫圧力をいっそう希望に合わせて調整するために伸長を制御することが可能である。しかしながら一般的には、特に包帯の異なる領域および／または同じ領域で、経糸密度と緯糸密度を両方とも変えることができる。
【００２０】
縦弾性的な包帯での経糸領域における稠密化によって、圧迫力の向上が実現される。このことは、たとえばくるぶしの領域やふくらはぎの下側領域で望ましい。稠密化は飛躍的に行われるのではないので、経糸密度に関して変更された織り方をするだけで、遠位から近位にかけての圧迫力低減が実現される。それと同時に緯糸密度を下げれば伸長性が高くなり、緯糸密度を上げれば伸長性が低くなる。
【００２１】
さらに、異なる糸密度の各領域がそれぞれ幅方向に異なる長さを有していると、特別に好ましい場合がある。このとき、たとえば特に経糸密度が低い領域は、経糸密度が高い領域よりも広い幅を有していてよい。このようにして、たとえば経糸の糸数は同じままで、密度を変えることができる。
【００２２】
これに加えて圧迫包帯はさらに別の層を有していてよく、特に、特に粘着性のコーティングの形態で包帯材料の織物に塗布される粘着性の層が設けられていてよい。このとき粘着性のコーティングは、接着性の性質であっても純粋に凝集性の性質であってもよく、すなわち、装着者の皮膚や毛ならびに衣服にではなく、それ自体に付着するように構成されているだけでもよい。
【００２３】
特に、経糸密度ないし緯糸密度が異なる２つを超える領域が設けられていることが意図される。特に、経糸密度および／または緯糸密度の低い２つの領域が、経糸密度および／または緯糸密度の高い１つの領域を縦方向にそれぞれの間で囲んでいることが意図されていてよい。このとき、糸密度の変更と同時に、幅方向における包帯の長さの変更も行われることが意図される場合には、この包帯は、糸密度が一定の領域の内部で、互いに横方向で向かい合う縦エッジが実質的に平行に構成され、１つの糸密度から次の糸密度への移行領域でのみ縮小または拡大が生じるように構成されていてよく、それにより、圧迫包帯の台形の領域が生じることになる。
【００２４】
１つの特別に好ましい実施形態の要諦は、幅と圧迫圧力が交代する低伸縮性包帯にあり、この場合、経糸密度および／または緯糸密度の低い領域が、縦方向に設けられた包帯の各端部領域の領域にそれぞれ設けられるとともに、これらの間に経糸密度および／または緯糸密度の高い領域が設けられる。このとき、経糸密度がそれぞれ異なる各領域は、緯糸密度がそれぞれ異なる各領域と合同であってよいが、互いに一致しなくてもよく、もしくは部分的にのみ一致してもよい。
【００２５】
さらに、経糸密度の低い領域の経糸密度は、経糸密度の高い領域の経糸密度に対して４：５の比率を有していてよく、特に、１０ｃｍにつき１７０本から２２０本の糸、特に１０ｃｍにつき１７２本から１９２本の糸を有していてよい。
【００２６】
緯糸密度の低い領域の緯糸密度は、緯糸密度の高い領域の緯糸密度に対して０．８：１．２の比率を有していてよく、特に、１０ｃｍにつき１３０本から１８０本の糸、特に１０ｃｍにつき１４０本から１５０本の糸を有していてよい。
【００２７】
最後に、圧迫包帯は平坦な帯状材料の少なくとも１つの側にコーティング、特に凝集性または接着性のコーティングを有することが意図されているのが好ましい。
【００２８】
このとき、このような低伸縮性バンデージは次のように構成されていてよい。
【００２９】
例１：変化する経糸密度
縦方向におけるバンデージの区域１および区域３
材料：木綿クレープ糸、２５ｔｅｘ×２Ｔ／Ｎ  約２０００Ｓ＋Ｚ
経糸の本数：８６本−Ｓ＋８６本−Ｚ
経糸の繰返しパターン：２Ｓ−２Ｚ
１ｃｍあたりの経糸密度  ：１７．２
包帯幅：１０ｃｍ
５０％の伸びと２層の巻回のときの圧迫圧力：２７ｍｍＨｇ
脚の直径：１２ｃｍ  
【００３０】
縦方向におけるバンデージの区域２（区域１と３の間）
材料：木綿クレープ糸、２５ｔｅｘ×２Ｔ／Ｎ  約２０００Ｓ＋Ｚ
経糸の本数：８６本−Ｓ＋８６本−Ｚ
経糸の繰返しパターン：２Ｓ−２Ｚ
１ｃｍあたりの経糸密度：２１．５
包帯幅：８ｃｍ
５０％の伸びと２層の巻回のときの圧迫圧力
脚の直径：１２ｃｍ
圧迫圧力：３４ｍｍＨｇ
区域１と区域３における包帯の長さ：伸長時約３ｍ
区域２における包帯の長さ：伸長時約２ｍ
【００３１】
例２：包帯の縦方向で変化する緯糸密度
縦方向のすべて領域について：
包帯幅：１０ｃｍ
材料：太さ３６ｔｅｘの木綿糸、一重
区域１および３における緯糸密度（緯糸密度変化の前後）：１０ｃｍにつき１４６本
５０％の伸びと２層の巻回、および１２ｃｍの脚直径のときの圧迫圧力：２７ｍｍＨｇ
区域２における緯糸密度（緯糸密度の変化中、区域１と３の間）：１０ｃｍにつき１８０本
５０％の伸びと２層の巻回、および１２ｃｍの脚直径のときの圧迫圧力：３３ｍｍＨｇ
【００３２】
例３：１つの領域で経糸密度と緯糸密度が変化
すべての長さ領域について：
経糸の材料：木綿クレープ糸、２５ｔｅｘ×２Ｔ／Ｎ  約２０００Ｓ＋Ｚ
緯糸の材料：木綿糸  ３６ｔｅｘ×１
経糸の繰返パターン：８６本Ｓ＋８６本Ｚ
長さ領域の区域１および区域３（経糸密度と緯糸密度の変化の前後、包帯の縦方向）：
包帯幅  １０ｃｍ
経糸密度：１０ｃｍにつき１７２本
緯糸密度：１０ｃｍにつき１４６本
５０％の伸びと２層の巻回、および１２ｃｍの脚直径のときの圧迫圧力：２７ｍｍＨｇ
長さ領域の区域２（経糸密度と緯糸密度とが変化し、区域１と３の間）：
包帯幅８ｃｍ
経糸密度  １０ｃｍにつき２１５本
緯糸密度  １０ｃｍにつき１８０本
５０％の伸びと２層の巻回、および１２ｃｍの脚直径のときの圧迫圧力：４１ｍｍＨｇ
【００３３】
このような種類の包帯を、定義されたおさ幅とおさ密度とを有する電子制御式の製織機械で織る。装填と製作はエンドレスベルトで連続式に行う。このような種類の圧迫バンデージの好ましい実施形態に関して上に掲げた指定事項を見ると、包帯幅を変えることで１ｃｍあたりの経糸本数を調整することによって、圧迫圧力をどのように変えることができるかを理解することができる。この包帯を用いて生成可能な圧迫圧力は、Ｋｉｋｕｈｉｍｅ社の圧力測定器を用いて、静止している人間の脚で静止圧力として生体で計測することができる。その際には、圧力測定器の圧力センサを、巻き付けられた包帯と皮膚の間でアキレス腱からヒラメ筋への移行部（規格ＲＡＬ  ＧＺ３８７に定める測定点Ｂ１に相当）に配置し、２本の包帯を回して巻きながら、巻き付け完了後に４つの層が圧力センサの上に位置するように相上下して巻き付ける。
【００３４】
次に、図面を参照しながら本発明について詳しく説明する。図面は次のとおりである：
【図面の簡単な説明】
【００３５】
【図１】図１は、本発明による圧迫包帯を示す部分図である。
【図２】図２は、異なる経糸密度を有する本発明による包帯の２つの領域を示す大幅に模式化した図である。
【図３】図３は、異なる緯糸密度を有する本発明による包帯の２つの領域を示す大幅に模式化した図である。
【図４】図４は、異なる経糸密度と緯糸密度を有する２つの領域を示す大幅に模式化した図である。
【発明を実施するための形態】
【００３６】
図１は、縦方向Ｌと横方向Ｑ、ならびに２つの縦エッジ１１ａおよび１１ｂ、および図示しない同じく向かい合う２つの横エッジを有する平坦な帯状材料１１を含む、本発明による圧迫包帯１０の部分図を示している。
【００３７】
経糸は弾性的に、特に木綿で弾性的に(baumwollelastisch)構成されている。緯糸は非弾性的である。ここでは包帯は実質的に３つの領域Ａ，Ｂ，Ｃに区分されており、経糸密度１２の高い領域Ｂが、経糸密度１４の低い２つの領域Ａ，Ｃによって囲まれている。領域Ａ，ＢおよびＣは、縦方向Ｌで互いに接している。このとき領域Ａ，Ｂ，Ｃの領域では、横方向Ｑで互いに向かい合う包帯１０の縦エッジ１１ａ，１１ｂが、実質的に互いに平行に配置されている。経糸密度１４が低い領域Ａ，Ｃから経糸密度１２が高い領域Ｂへの移行部の領域には、包帯１０の縮小ないし拡大が生じており、それによってここに台形の区域１６ができている。
【００３８】
ここでは同じ経糸数のままで包帯幅を変えることで、経糸密度に関する変化が生じている。
【００３９】
たとえば人間の脚に適用するとき、包帯１０の領域Ｂでは、領域ＡおよびＣにおけるよりも高い圧迫力を実現することができる。これに加えてそれぞれ異なる包帯幅も、これと結びついた高い圧迫力のほかに、たとえば足領域やくるぶし領域のように円筒や円錐と著しく相違する人間の身体の領域への簡単な適用を可能にする。
【００４０】
そのようにして、相互に組み合わせなければならない、幅の異なる包帯１０を使わずにすませることができる。
【００４１】
図２は、領域ＣおよびＢならびに移行区域１６からなる包帯１０の部分図を示している。経糸は符号２０が付されており、緯糸は符号３０が付されている。緯糸方向は記号Ｓで表されており、経糸方向は記号Ｋで表されている。ここでは、緯糸３０の密度は包帯の長さＬ全体を通じて一定であり、経糸２０の密度は、経糸密度１４の低い領域Ｃから経糸密度の高い領域Ｂへと増加しており、それは、横方向Ｑの包帯幅が、領域Ｂで領域Ｃよりも狭いことによっている。それにより、特に領域Ｃを起点として領域Ｂにかけて狭まっていく、実質的に台形の形状を有する移行区域１６が生じている。このとき領域Ｃでそれぞれの経糸は間隔Ｋ１を有しており、領域Ｂでは経糸の間隔Ｋ２であり、Ｋ２はＫ１よりも小さい。
【００４２】
図３は、経糸２０の密度およびこれに伴って間隔が包帯１０の長さＬ全体を通じて一定に保たれており、緯糸３０の密度が長さＬを通じて変化する構成を示しており、それぞれの緯糸３０の間隔は、ここでは同じく記号Ｃとして表した領域では記号Ｓ１が付されており、同じく記号Ｂとして表された低い緯糸密度を有する領域では、記号Ｓ２が付されている。このときＳ２＜Ｓ１である。このケースでは、包帯は長さ全体を通じて同じ幅Ｑを有している。経糸密度を変えることによって圧迫力を調節することができ、緯糸密度を変えることによって伸長性を変えることができる。これに加えて、低い密度の領域Ｃから高い密度の領域Ｂへと緯糸密度を変えていくことで、包帯の単位面積あたり重量も変化する。
【００４３】
最後に図４は、緯糸密度と経糸密度の低い領域Ｂを起点として、高い経糸密度と緯糸密度を有する領域Ｃへと、両方の糸システムがそれぞれの密度に関して変わっていく構成を示している。このように領域Ｃでは、包帯１０はそれぞれの経糸の間の間隔Ｋ１を有するとともに、２本の緯糸の相互の間隔Ｓ１を有しており、高い経糸密度と緯糸密度を有する領域Ｂでは、緯糸は間隔Ｓ２を有するとともに経糸は間隔Ｋ２を有している。このときＳ２はＳ１よりも小さく、Ｋ２はＫ１よりも小さい。
【００４４】
この場合にも、間隔Ｋ１から間隔Ｋ２への経糸密度の変更は、横方向Ｑで包帯を狭めることによって実現されており、それにより、同じく領域Ｃを起点として、領域Ｂに向かって先細になる形状を有する移行区域１６が形成される。
【００４５】
経糸システムと緯糸システムをそれぞれの密度に関して両方とも変えることで、あらゆる自由なパラメータを任意に調整することができ、所与の条件に合わせて、希望される場合には装着者にも合わせて、個別的かつ最善に適合化された包帯を創出することができる。
【００４６】
本発明の上記以外の実施形態は、残りの出願書類から明らかとなる。
【図１】
0006047557.tif 000002
【図２】
0006047557.tif 000003
【図３】
0006047557.tif 000004
【図４】
0006047557.tif 000005